(57)【要約】【課題】  家庭での歯みがき時における口腔内の観察を容易にし、口腔内の健康管理に役立ち、さらに、需要者の経済面と地球環境に貢献することが出来る照明付システム歯ブラシを提供する。【解決手段】  内部にＬＥＤ光源１２０及び電池１３０を収納し、ＬＥＤ光源１２０のオンオフを行うスイッチ１４０を有するやや扁平な形の把持部１００と、把持部１００の両側先端に互換性を持って着脱可能に連結されるアタッチメント部２００より構成され、前記アタッチメント部２００として少なくともミラー部２１０、歯ブラシ部２２０を有し、他に補助歯ブラシ部２３０等を追加可能とし、また、アタッチメント部２００を収納するために形成された収納差し込み孔１６１及び１６２を有し、把持部２００のほぼ中央にボタン型の電池１３０を横置きに２個重ねて配列して収納し、把持部１００片側先端付近にＬＥＤ光源１２０配置し、アタッチメント部２００に向けて光が照射される。【選択図】図１
2008295994.tif 000002
【特許請求の範囲】
【請求項１】
内部にＬＥＤ光源１２０及び電池１３０を収納し、前記ＬＥＤ光源１２０のオンオフを行うスイッチを有する把持部１００と、前記把持部１００の両側先端に互換性を持って着脱可能に連結されるアタッチメント部２００より構成され、前記アタッチメント部２００として少なくともミラー部２１０、歯ブラシ部２２０を有し、他に補助歯ブラシ部２３０等を追加可能とし、前記ＬＥＤ光源１２０から発した光が前記把持部１００先端に前記ミラー部２１０を取り付けた場合において、ミラー鏡面部２１１のほぼ中央に照射されるように、また、前記把持部１００先端に前記歯ブラシ部２２０を取り付けた場合において、歯ブラシ植毛頭部２２１毛先付近に照射されるように前記ＬＥＤ光源１２０の配置がされていることを特徴とする照明付きシステム歯ブラシ。
【請求項２】
前記把持部１００片側先端付近に前記ＬＥＤ光源１２０を配置し、前記把持部１００のほぼ中央にボタン型の電池１３０を横置きに２個重ねて配列して収納し、やや扁平な形の把持部１００を有することを特徴とする請求項１に記載の照明付きシステム歯ブラシ。
【請求項３】
前記把持部１００の両側先端内側に互換性を持って前記アタッチメント部２００を収納するために形成された収納差し込み孔１６１、１６２を有することを特徴とする請求項１または請求項２に記載の照明付きシステム歯ブラシ。
【発明の詳細な説明】
【技術分野】
【０００１】  本発明は、家庭での口腔内の健康管理に使用する照明付き歯科用ミラーと歯ブラシのシステム化に関する。
【背景技術】
【０００２】  従来、一般家庭での口腔内の健康管理の目的で、歯科用ミラーや歯ブラシに関して、さまざまな工夫がなされてきた。【０００３】  例えば特許公開平８−２７５８２６号には、歯ブラシの柄の端にミラーを設置したミラー付き歯ブラシが開示されている。すなわち、歯垢の除去具合をミラーで点検しながら歯磨きすることを可能とするものである。【０００４】  また、登録実用新案第３０６６２４６号には、照明装置を付加した歯科用ミラーが開示されている。すなわち、乾電池と発光体を収納した把持部に歯科用ミラーの柄部を固定して、歯科用ミラーの鏡面に向けて光を照射させることにより、口腔内を観察し易くしている。【０００５】  登録実用新案第３０３９６１１号には、歯ブラシのブラシ部を交換可能にしたブラシ部交換式歯ブラシが開示されている。【０００６】  特許公表２００１−５１７４７９号には、歯ブラシの植毛を通して口腔内に光が照射され、明るい口腔内環境での歯磨きを可能とした照明付き歯ブラシが開示されている。
【特許文献１】特許公開平８−２７５８２６号    公報
【特許文献２】登録実用新案第３０６６２４６号  公報
【特許文献３】登録実用新案第３０３９６１１号  公報
【特許文献４】特許公表２００１−５１７４７９号公報
【発明の開示】
【発明が解決しようとする課題】
【０００７】  むし歯や歯周病などの口腔内の疾患を予防するためには、歯磨きによる歯垢除去が大切であるが、歯垢の磨き残しが多いことが歯科医師等の医療関係者の間で知られており、その解決策として、普段の歯磨き後に歯垢染色剤等で歯垢を染色させ、再度染色した歯垢を歯磨きで除去する方法が従来から行なわれているが、口腔内は暗く、奥歯や歯の裏側などは直視しづらいため、歯垢を確実に除去することは困難である。また、口腔内の疾患は、気づくのが遅れて重症化してしまうことが多い。歯垢を確実に除去し、疾患を早期に発見して重症化を防ぐためには、家庭での照明付き歯科用ミラーによるセルフチェックが大切である。しかしながら、一般家庭において、照明付き歯科用ミラーは普及していない。【０００８】  従来のもの、例えば、登録実用新案第３０６６２４６号に開示された歯科用ミラーでは、一般の乾電池を把持部に収納しているため把持部が太く、且つ、重くなってしまっている。このため、操作性や収納性などの問題で、日常の歯磨き時の使用に適しているとはいえなかった。【０００９】  また、特開平８−２７５８２６号に開示されたミラー付き歯ブラシでは、照明装置が付加されていないため、口腔内の観察がしづらく、また、ミラーと歯ブラシ植毛頭部は、共に把持部と一体構造であり、交換が出来ないため経済面及び環境面に問題があった。【００１０】  また、従来の一般的な歯ブラシでは、把持部と植毛頭部とが一体構造となっており、植毛頭部のみの交換が出来ないため、経済面及び環境面に問題があった。【００１１】  また幼児のむし歯を予防するためには、保護者による歯の清掃が大切であり、歯科医療関係者の間では寝かせ磨き、もしくは、仕上げ磨きと称している清掃法がある。これは、保護者の膝のあいだに幼児を仰向けに寝かせて、口の中をのぞきこみ、仕上げ磨き用歯ブラシを用いて歯を磨く方法であるが、口の中が暗いため磨きづらい問題があった。【００１２】  また、むし歯や歯周病を防ぐためには、一般的な歯ブラシの他に歯間部などの清掃のために補助的に用いる歯ブラシが必要とされることがあり、この場合、２種類の柄付き歯ブラシを購入して使用しなくてはならず面倒であった。また、環境面、経済面に問題があった。【００１３】  本発明の目的は、このような家庭での口腔内の健康管理における従来の複数の問題を解決しようとするものを提供することにある。
【課題を解決するための手段】
【００１４】  本発明は、上記の目的を達成するために、内部にＬＥＤ光源及び電池を収納する把持部と、把持部の両先端に着脱可能に連結されるアタッチメント部より構成される照明付きシステム歯ブラシを提供するものである。【００１５】  上記発明によれば、前記把持部の両先端に取り付ける前記アタッチメント部には少なくとも、ミラー部、歯ブラシ部を有し、さらに補助歯ブラシ部等を追加可能としている。また、把持部両先端には同一の形状の差し込み孔が形成され、アタッチメント部に形成された差し込み軸と弾性的に勘合させることで、ミラー部、歯ブラシ部、補助歯ブラシ部等を相互に交換することが出来、自由な組み合わせでの使用を可能とする。【００１６】  また、前記把持部中央に１個当たり電圧３ボルトの薄型のリチウムボタン電池を横置きに２個重ねて配列させて収納することにより、把持部の形状を薄く、且つ軽量化することを可能とし、このことにより、使用時の操作性と共に収納性を改善することを可能とする。【００１７】  また前記把持部の両先端のうち片側には、前記ＬＥＤ光源を配置しており、前記電池との組み合わせにより、把持部ＬＥＤ光源配置側先端に取り付けられたアタッチメント部に必要な光を供給することを可能としている。すなわち、アタッチメント部の内、ミラー部を取り付けた場合において、該ミラー鏡面中央に光が照射されるよう、また、歯ブラシ植毛頭部、補助歯ブラシ植毛頭部を取り付けた場合において、これら両歯ブラシ植毛頭部毛先付近に光が照射されるように前記ＬＥＤ光源が配置されている。また、把持部先端にＬＥＤ光源を配置させたことは、把持部両先端の内、ＬＥＤ光源配置側先端にアタッチメント部である歯ブラシ植毛頭部または補助歯ブラシ植毛頭部を取り付けて歯を磨く場合、歯みがき操作を妨げず、また、前記ＬＥＤ光源から照射された光が遮られることなく、充分な光を口腔内に供給することを可能としている。【００１８】  また、前記把持部と前記アタッチメント部の組み合わせとしては、例えば、前記把持部の両先端のうちＬＥＤ光源配置側先端にミラー部を装着すれば照明付き歯科用ミラーとして、また、前記把持部の両先端のうちＬＥＤ光源配置側先端に歯ブラシ部を装着すれば、照明付き歯ブラシとして使用することが出来る。さらに前記照明付き歯科用ミラーとしての構成体の把持部先端に歯ブラシ部を追加装着した場合、日常の歯磨き時に、器具の交換なしで、いつでも思った時に照明付き歯科用ミラーで口腔内を観察できるため、今までの歯磨き習慣の流れの中で使用でき、無理なく口腔内のセルフチェックが習慣化されることが期待出来る。【００１９】  このように、必要なアタッチメント部を追加購入して、把持部両先端に異なったアタッチメント部を装着して継続的に使用できるため、把持部を有する照明付き歯科用ミラー、把持部を有する一般歯ブラシ、把持部を有する補助歯ブラシ等を別々に購入して使用する必要がなくなるため、日常の歯磨き時の器具交換の煩わしさを改善し、需要者の経済面を改善し、また、環境面を改善することが出来る。【００２０】  また前記把持部の両先端の内側に前記アタッチメント部収納に用いるために形成された収納差し込み孔を有する。この収納差し込み孔は、���持部先端から取り外したミラー部や歯ブラシ部を挿入して収納できるようになっている。このことは、把持部両先端の内、片側のアタッチメント部を外して反対側の収納差し込み孔に収納することで、把持部を歯ブラシ立てに収納することを可能としている。
【発明の効果】
【００２１】  以上説明したように、本発明の照明付きシステム歯ブラシは、家庭での歯磨き時に、照明付き歯科用ミラーを使用して口腔内の観察が容易に行なることで、日常生活においての口腔内のセルフチェックが習慣化されることが期待出来る。このことは、歯磨きの能率を向上させ、口腔内疾患の予防と早期発見に貢献する。また、本発明の照明付きシステム歯ブラシはアタッチメント部が交換可能であるため、需要者の経済的負担を軽減すると共に環境面の問題を改善することが出来る。【００２２】  また、製造面においても、照明付き歯科用ミラー、ミラー付き歯ブラシ、照明付歯ブラシ等をそれぞれ別々に製造することと比較して、開発、製造におけるコストの削減をもたらす。
【発明の実施のための最良の形態】
【００２３】  以下、本発明の実施の形態を図１〜図３に基づいて説明する。
【００２４】  図１〜図３には、本発明の照明付きシステム歯ブラシの１実施形態が示されている。図１は同照明付きシステム歯ブラシの外観を示す斜視図、図２は同照明付きシステム歯ブラシの側面における断面図、図３は同照明付きシステム歯ブラシのアタッチメント部の外観を示す斜視図である。
【００２５】  本発明の照明付きシステム歯ブラシは、把持部１００と図３で示すように、アタッチメント部２００とから構成され、アタッチメント部２００には少なくともミラー部２１０と歯ブラシ植毛頭部２２０を有しており、さらに補助歯ブラシ頭部２３０等を追加可能としている。図１は、把持部１００先端にアタッチメント部２００として、ミラー部２１０及び歯ブラシ部２２０を装着した状態を示している。把持部１００はポリプロピレン等合成樹脂で成形されている把持部本体１１０と把持部本体１１０に収納される電池１３０及びＬＥＤ光源１２０、スライド式スイッチ１４０より構成されている。
【００２６】  また、把持部１００両先端には、アタッチメント部２００に形成された差し込み支軸２１３及び２２３、２３３と弾性的に嵌合する同一の形状の差し込み孔１５１及び１５２が図２に示すように形成されている。また、前記差し込み支軸２１３及び２２３、２３３は図３に示すように先端に向かって幅を徐々に狭くし、また、その断面は長方形状をなしており、前記差込孔１５１及び１５２に対して挿入を容易にすると共に、挿入方向を規制し、回転を防止することに寄与する。
【００２７】  ＬＥＤ光源１２０は、把持部本体１１０の先端付近に配置されている。ＬＥＤ光源１２０から発した光は、アタッチメント部２００の内、ミラー部２１０を取り付けた場合においては、該ミラー鏡面２１１のほぼ中央に照射されるように、また、一般歯ブラシ部２２０、補助歯ブラシ部２３０を取り付けた場合においては、これら両歯ブラシ植毛部２２１、２３１の毛先付近に光が照射されるようにＬＥＤ光源１２０の配置がされている。
【００２８】  また、前記電池１３０は、把持部本体１１０のほぼ中央に収納されており、図２に示すように、前期電池１３０として１個当たり３ボルトの電圧を有するマンガンリチウム電池を横置きに２個重ねて配列してある。前記電池１３０としては、例えば直径１６ミリメートル、厚み１．６ミリメートルを有するＣＲ１６１６（日立マクセル株式会社）などが適している。また、この電池１３０に隣接してスライド式スイッチ１４０が配置してあり、このスイッチを電池側にスライドさせることにより、ＬＥＤ光源が発光するようになっている。また、前記電池１３０が収納してある把持部本体１１０裏面には、電池交換のために、電池蓋１８０が設置されている。この電池蓋１８０及びスライド式スイッチ１４０は、使用環境を考慮して防水加工が施されることが望ましい。
【００２９】  また、前記把持部１００両先端の内側には、アタッチメント部２００を収納するために収納差し込み孔１６１及び１６２が図２に示すように形成されており、この収納差し込み孔１６１及び１６２とアタッチメント部２００に形成された差し込み支軸２１３及び２２３、２３３とは弾性的に嵌合し安定して固定されるようになっている。
【００３０】  また、図３に示すように、アタッチメント部２００の内、歯ブラシ部２２０の歯ブラシネック部２２２は歯ブラシ差し込み支軸２２３に比較して幅が狭く、また、軸方向に長く（約３５ｍｍ）形成されている。このため、歯みがき時に歯ブラシ植毛頭部２２１に過度の力が加えられた場合、歯ブラシネック部２２２が弾性変形を起こして、差し込み支軸２２３を通して前記差し込孔１５１または１５２周囲の前記把持部本体１１０に作用する応力を緩和して、前記把持部本体１１０の破損を防止する。
【図面の簡単な説明】
【００３１】
【図１】    本発明の１実施形態における照明付きシステム歯ブラシの外観を示す斜視図である。
【図２】    同照明付きシステム歯ブラシの側面における断面図である。
【図３】    同照明付きシステム歯ブラシのアタッチメント部の外観を示す斜視図である。
【符号の説明】
【００３２】  １００          把持部
１１０          把持部本体
１２０          ＬＥＤ光源
１３０          電池
１４０          スライドスイッチ
１５１、１５２  差し込み孔
１６１、１６２  収納差し込み孔
１８０          電池蓋
２００          アタッチメント部
２１０          ミラー部
２１１          ミラー鏡面部
２２０          歯ブラシ部
２２１          歯ブラシ植毛頭部
２２２          歯ブラシネック部
２２３          歯ブラシ差込み支軸
２３０          補助歯ブラシ部
２３１          補助歯ブラシ植毛頭部
【図１】
2008295994.tif 000003
【図２】
2008295994.tif 000004
【図３】
2008295994.tif 000005
【手続補正書】
【提出日】平成19年6月6日(2007.6.6)
【手続補正１】
【補正対象書類名】明細書
【補正対象項目名】００２５
【補正方法】変更
【補正の内容】
【００２５】  本発明の照明付きシステム歯ブラシは、把持部１００と図３で示すように、アタッチメント部２００とから構成され、アタッチメント部２００には少なくともミラー部２１０と歯ブラシ部２２０を有しており、さらに補助歯ブラシ部２３０等を追加可能としている。図１は、把持部１００先端にアタッチメント部２００として、ミラー部２１０及び歯ブラシ部２２０を装着した状態を示している。把持部１００はポリプロピレン等合成樹脂で成形されている把持部本体１１０と把持部本体１１０に収納される電池１３０及びＬＥＤ光源１２０、スライド式スイッチ１４０より構成されている。
【手続補正２】
【補正対象書類名】明細書
【補正対象項目名】００２７
【補正方法】変更
【補正の内容】
【００２７】  ＬＥＤ光源１２０は、把持部本体１１０の先端付近に配置されている。ＬＥＤ光源１２０から発した光は、アタッチメント部２００の内、ミラー部２１０を取り付けた場合においては、該ミラー鏡面２１１のほぼ中央に照射されるように、また、歯ブラシ部２２０、補助歯ブラシ部２３０を取り付けた場合においては、これら両歯ブラシ植毛頭部２２１、２３１の毛先付近に光が照射されるようにＬＥＤ光源１２０の配置がされている。
【手続補正３】
【補正対象書類名】明細書
【補正対象項目名】００３２
【補正方法】変更
【補正の内容】
【００３２】１００把持部
１１０把持部本体
１２０ＬＥＤ光源
１３０電池
１４０スライド式スイッチ
１５１、１５２差し込み孔
１６１、１６２収納差し込み孔
１８０電池蓋
２００アタッチメント部
２１０ミラー部
２１１ミラー鏡面部
２２０歯ブラシ部
２２１歯ブラシ植毛頭部
２２２歯ブラシネック部
２２３歯ブラシ差込み支軸
２３０補助歯ブラシ部
２３１補助歯ブラシ植毛頭部
【手続補正４】
【補正対象書類名】図面
【補正対象項目名】全図
【補正方法】変更
【補正の内容】
【図１】
2008295994.tif 000006
【図２】
2008295994.tif 000007
【図３】
2008295994.tif 000008
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
内部にＬＥＤ光源１２０と電池１３０及び、前記ＬＥＤ光源１２０のオンオフを行うスイッチを収納する把持部１００を有する歯科用ミラー又は歯ブラシであって、前記把持部１００と前記把持部１００の両側先端に形成された差し込み孔１５１、１５２に、互換性を持って着脱可能に連結されるアタッチメント部２００より構成され、前記アタッチメント部２００として少なくともミラー部２１０、歯ブラシ部２２０を有し、他に補助歯ブラシ部２３０等を追加可能とし、前記ＬＥＤ光源１２０から発した光が前記把持部１００先端に前記ミラー部２１０を取り付けた場合において、ミラー鏡面部２１１のほぼ中央に照射されるように、また、前記把持部１００先端に前記歯ブラシ部２２０を取り付けた場合において、歯ブラシ植毛頭部２２１毛先付近に照射されるように前記ＬＥＤ光源１２０の配置がされていることを特徴とする照明付きシステム歯ブラシ。
【請求項２】
前記把持部１００片側先端付近に前記ＬＥＤ光源１２０を配置し、前記把持部１００のほぼ中央に電圧３ボルトの薄型のリチウムボタン電池１３０を横置きに２個重ねて配列して収納し、やや扁平な形の把持部１００を有することを特徴とする請求項１に記載の照明付きシステム歯ブラシ。
【請求項３】
前記把持部１００の両側先端内側に互換性を持って前記アタッチメント部２００を収納するために形成された収納差し込み孔１６１、１６２を有することを特徴とする請求項１または請求項２に記載の照明付きシステム歯ブラシ。
【手続補正２】
【補正対象書類名】明細書
【補正対象項目名】００１６
【補正方法】変更
【補正の内容】
【００１６】  また、前記把持部中央に１個当たり電圧３ボルトの薄型のリチウムボタン電池を横置きに２個重ねて配列させて収納することにより、把持部の形状を薄く、且つ軽量化することを可能とし、このことにより、使用時の操作性と共に収納性を改善し、また、把持部に収納されたＬＥＤ光源に６ボルトの電圧を供給することにより、高照度の発光を可能とする。